(57)【要約】【課題】  従来、一枚の用紙に複数の画像を割り当てて印刷するときには、十字キーや左右キーを画像選択とレイアウト位置選択に併用し、モードを切り換えるなどしてボタンに割り当てる機能を切り換えていた。【解決手段】  １つの表示装置に画像とプリントレイアウトを同時に表示し、画像送りと画像選択、レイアウト中の画像領域選択キーを別々に設け、画像選択操作とレイアウト中の画像領域選択操作を、モード切替することなく同時に行うことを可能とした。【選択図】  図１
2008052432.tif 000002
【特許請求の範囲】
【請求項１】
画像を表示する表示手段を有し、印刷レイアウトの複数の画像領域それぞれに印刷する画像を設定する印刷設定装置であって、
記憶媒体に記憶された画像を読み出す読み出し手段と、
前記記憶媒体に記憶されている画像のうち任意の画像を前記読み出し手段により読み出して表示させるための画像表示領域と、前記印刷レイアウトを表示するためのレイアウト表示領域とを前記表示手段に同時に表示させる表示制御手段と、
前記レイアウト表示領域に表示される印刷レイアウトの画像領域を選択する画像領域選択手段と、
前記画像領域選択手段により選択された印刷レイアウトの画像領域に印刷する画像を選択するための前記画像選択手段を有することを特徴とする印刷設定装置。
【請求項２】
前記表示制御手段は、さらに、前記画像表示領域に表示されている画像が、前記印刷レイアウトの画像領域の印刷画像として設定されている場合には、印刷画像として設定されていることを示すマークを前記表示手段に表示させることを特徴とする請求項１に記載の印刷設定装置。
【請求項３】
前記表示制御手段は、前記画像領域選択手段により選択されている印刷レイアウトの画像領域を、選択されていない画像領域とは区別して表示させることを特徴とする請求項１に記載の印刷設定装置。
【請求項４】
前記画像領域選択手段により選択されている印刷レイアウトの画像領域を、選択されていない画像領域とは異なる枠を付加して表示させることを特徴とする請求項１に記載の印刷設定装置。
【請求項５】
前記表示制御手段は、印刷画像が設定されている印刷レイアウトの画像領域を、印刷画像が設定されていない印刷レイアウトの画像領域とは区別して表示させることを特徴とする請求項１に記載の印刷設定装置。
【請求項６】
前記表示制御手段は、印刷画像が設定されている印刷レイアウトの画像領域には、印刷画像が設定されていることを示すマークを付加して表示させることを特徴とする請求項１に記載の印刷設定装置。
【請求項７】
前記画像領域選択手段により、印刷画像が設定されている印刷レイアウトの画像領域が選択されたことに応じて、前記表示制御手段は、該画像領域に対応する印刷画像を前記画像表示領域に表示させることを特徴とする請求項１に記載の印刷設定装置。
【請求項８】
さらに、前記表示手段に表示する印刷レイアウトの種類を選択する印刷レイアウト選択手段を有することを特徴とする請求項１に記載の印刷設定装置。
【請求項９】
前記画像選択手段は、画像送り指示を入力可能であり、
前記表示制御手段は、前記画像送り指示の入力に応じて、前記読み出し手段により前記記憶媒体から読み出した予め設定された枚数の画像を、前記画像表示領域に表示させることを特徴とする請求項１に記載の印刷設定装置。
【請求項１０】
前記画像選択手段は方向キーであり、
前記画像領域選択手段は前記方向キーとは異なるボタンであることを特徴とする請求項１に記載の印刷設定装置。
【請求項１１】
前記表示制御手段は、前記画像領域選択手段により選択されている印刷レイアウトの画像領域に選択枠を付加して表示させ、前記ボタンを操作する毎に、前記選択枠を移動させて表示させることを特徴とする請求項１０に記載の印刷設定装置。
【請求項１２】
画像を表示する表示手段を有し、印刷レイアウトの複数の画像領域それぞれに印刷する画像を設定する印刷設定方法であって、
記憶媒体に記憶された画像を読み出す読み出し工程と、
前記記憶媒体に記憶されている画像のうち任意の画像を前記読み出し工程により読み出して表示させるための画像表示領域と、前記印刷レイアウトを表示するためのレイアウト表示領域とを前記表示手段に同時に表示させる表示制御工程と、
前記レイアウト表示領域に表示される印刷レイアウトの画像領域を選択する画像領域選択工程と、
前記画像領域選択工程で選択された印刷レイアウトの画像領域に印刷する画像を選択するための前記画像選択工程を有することを特徴とする印刷設定方法。
【請求項１３】
前記画像表示領域に表示されている画像が、前記印刷レイアウトの画像領域の印刷画像として設定されている場合には、印刷画像として設定されていることを示すマークを前記表示手段に表示させるマーク表示工程を有することを特徴とする請求項１２に記載の印刷設定方法。
【請求項１４】
画像領域選択工程で選択された印刷レイアウトの画像領域を、選択されていない画像領域とは区別して表示させる第２の表示制御工程を有することを特徴とする請求項１２に記載の印刷設定方法。
【請求項１５】
前記画像領域選択工程で選択された印刷レイアウトの画像領域を、選択されていない画像領域とは異なる枠を付加して表示させる第２の表示制御工程を有することを特徴とする請求項１２に記載の印刷設定方法。
【請求項１６】
印刷画像が設定されている印刷レイアウトの画像領域を、印刷画像が設定されていない印刷レイアウトの画像領域とは区別して表示させる第３の表示制御工程を有することを特徴とする請求項１２に記載の印刷設定方法。
【請求項１７】
印刷画像が設定されている印刷レイアウトの画像領域には、印刷画像が設定されていることを示すマークを付加して表示させる第４の表示制御工程を有することを特徴とする請求項１２に記載の印刷設定方法。
【請求項１８】
前記画像領域選択工程で印刷画像が設定されている印刷レイアウトの画像領域が選択されたことに応じて、該画像領域に対応する印刷画像を前記画像表示領域に表示させる第５の表示制御工程を有することを特徴とする請求項１２に記載の印刷設定方法。
【請求項１９】
さらに、前記表示手段に表示する印刷レイアウトの種類を選択する印刷レイアウト選択工程を有することを特徴とする請求項１２に記載の印刷設定方法。
【請求項２０】
前記画像選択工程では、画像送り指示を入力可能であり、
前記表示制御工程では、前記画像送り指示の入力に応じて、前記読み出し手段により前記記憶媒体から読み出した予め設定された枚数の画像を、前記画像表示領域に表示させることを特徴とする請求項１２に記載の印刷設定方法。
【発明の詳細な説明】
【技術分野】
【０００１】
本発明は印刷レイアウトの複数の画像領域それぞれに印刷する画像を設定する印刷設定装置および印刷設定方法に関するものである。
【背景技術】
【０００２】
従来、一枚の用紙に複数の画像を割り当てて印刷するレイアウト印刷の指定方法としては、印刷する複数の画像の選択とレイアウトパターンの選択を行うことで、印刷装置（または、ＰＣのプリントアプリケーション等）が、自動的に印刷レイアウトを行っていた。つまり、複数の画像印刷領域が配置された定型のレイアウトパターンに、選択された画像を印刷装置が自動的に配置し、レイアウト印刷を行っていた。また、印刷装置により自動的に画像が配置された印刷レイアウトは、画像選択およびレイアウト選択の後に、印刷プレビューを行うことで、ユーザは印刷レイアウトの確認をすることができた。また、この印刷プレビュー中に印刷する画像の回転やリサイズ等の編集を行うことができた。（特許文献１）
また、アルバム編集用の画像処理装置のレイアウト設定においては、まず、アルバムに載せる画像選択して画像を取得し、画像を取得した後に、ユーザが任意の位置に画像を配置してレイアウトを設定し、アルバムを編集するというものがある。
【特許文献１】特開２００３−２３１３２３
【発明の開示】
【発明が解決しようとする課題】
【０００３】
しかしながら、上記従来例では、画像選択とレイアウト設定や画像編集、印刷プレビューを別の設定画面で行ってるため、これらの設定を交互に行いたい場合は、設定画面変更のための操作をその間に行わなくてはならず、操作の流れを途切れさせてしまうなどの問題があった。
【０００４】
また、操作部材が限られている印刷装置では、十字キーや左右キーを画像選択とレイアウト設定に併用しなければならないため、モードを切り換えるなどしてボタンに割り当てる機能を切り換えていた。そのため、モードを切替える度にボタンの機能が切り替わり、ユーザに混乱を生じさせ、とても不便であった。
【０００５】
また、操作部材が限られている印刷装置で、複数の画像領域が配置された定型のレイアウトにおいて任意の画像を画像領域に割り当てて印刷するための設定を行おうとすると、画像選択と画像領域への画像の割り当ての設定を、少ない操作部材や小さな表示画面で行わなければない。そのため、操作が煩雑になってしまい、ユーザにとってわかりにくくなってしまうという問題があった。
【０００６】
このような問題を解決するため、本発明は、画像選択とレイアウト設定を、モードや設定画面を切替えることなく、同時に行うことを可能とするマルチレイアウト設定方法を提供することを目的とする。また、印刷装置のような操作部が限られている装置においても、簡単な操作でレイアウトの設定が可能であり、レイアウトの設定と同時に設定した内容を確認可能なレイアウト設定方法を提供することを目的とする。
【課題を解決するための手段】
【０００７】
上述の課題を解決するため、本発明の印刷制御装置は、つぎのような構成を備える。
【０００８】
画像を表示する表示手段を有し、印刷レイアウトの複数の画像領域それぞれに印刷する画像を設定する印刷設定装置であって、
記憶媒体に記憶された画像を読み出す読み出し手段と、
記憶媒体に記憶されている画像のうち任意の画像を読み出し手段により読み出して表示させるための画像表示領域と、印刷レイアウトを表示するためのレイアウト表示領域とを表示手段に同時に表示させる表示制御手段と、
レイアウト表示領域に表示される印刷レイアウトの画像領域を選択する画像領域選択手段と、
画像領域選択手段により選択された印刷レイアウトの画像領域に印刷する画像を選択するための画像選択手段を有することを特徴としている。
【発明の効果】
【０００９】
本発明は複数の画像領域が配置された定型のレイアウトにおいて任意の画像を割り当てて印刷するマルチレイアウト印刷の設定を実現できる。また、画像選択操作とレイアウト中の画像領域選択操作を、モード切替することなく同時に行うことが可能となる。
【発明を実施するための最良の形態】
【００１０】
（実施例１）
以下に図面を用いて本発明の実施例を説明する。
【００１１】
図１は本発明による印刷装置の構成を表すブロック図である。
【００１２】
本発明の印刷装置は、メモリカード等のメモリカードやデジタルカメラやＰＣから取得した画像を印刷する際に、レイアウトを指定して印刷することが可能となっている。さらに、複数の画像印刷領域が配置された定型のレイアウトにおいて、任意の画像を画像印刷領域に割り当てて印刷画像を設定する、マルチレイアウト機能を有している。さらに、マルチレイアウトプリントでは、レイアウト中の画像印刷領域を指定して、印刷画像の設定が可能となっている。
【００１３】
バス１０１は各ブロックを接続するバスでブロック間のデータのやり取りはバスを通して行われる。
【００１４】
メモリカード１０２はリムーバブルメモリで複数の画像データが記録されている。
ＩＯ制御部１０３はメモリカード１０２へのデータの読み書きを制御している。メモリカード１０２はバス１０１に直接接続できないのでＩＯ制御部１０３を通して各ブロックとデータのやり取りを行う。
【００１５】
レイアウト選択部１０４は複数の印刷レイアウトを保持し、要求に応じて個別の印刷レイアウトのデータを供給する。印刷レイアウトはカードサイズ／Ｌサイズ／はがきサイズの各サイズについてそれぞれ２ｕｐ、４ｕｐ、６ｕｐ、８ｕｐ、の４つのパターンがある。
【００１６】
アイコン表示部１０５は画面に表示する各種アイコンデータを保持し、要求に応じてアイコンデータを表示制御部１０８に送信し、アイコンイメージを画面に表示する。
【００１７】
画像再生部１０６はＩＯ制御部１０３を通してメモリカード１０２に保持されている画像データを読み出し、デコード処理をおこなって表示できる形式にデータ変換した後に表示制御部１０８に画像を表示する。
【００１８】
表示画像選択部１０７はＩＯ制御部１０３を通してメモリカード１０２にアクセスし、画像の一覧を作成して保持する。このとき各画像に対してメモリカード１０２内でユニークな識別番号（以下画像ＩＤ）を付加し、画像はこの画像ＩＤによって管理識別する。
【００１９】
表示制御部１０８は各ブロックからの表示要求に対応してＬＣＤ２０７に表示する表示画面データを作成し、ＬＣＤに表示画面を表示させるための制御を行う。
【００２０】
データ保持部１０９は各種データを一時的に保持する。各処理をおこなう上での作業用領域として使用される。
【００２１】
印刷データ生成部１１０は各ブロックからの印刷要求に対応し、レイアウトデータ、画像データを印刷用のデータに変換する。印刷データはイエロー（Ｙ）、マゼンタ（Ｍ）、シアン（Ｃ）の３色から構成され用紙一枚分のサイズのＹ／Ｍ／Ｃ各色のデータを順次作成し、色ごとに印刷部１１１へデータを送信する。
【００２２】
印刷部１１１は印刷データ生成部１１０からのＹ／Ｍ／Ｃ各色の印刷データを受信し、印刷用紙に印刷をおこなう。
【００２３】
レイアウト生成部１１２は印刷データ生成部１１０が印刷データを生成するのに必要なデータ群を作成する。指定された印刷レイアウトデータをレイアウト選択部１０４から取得し、そのレイアウトに対して指定画像を領域に貼り付けた結果として図４に示すようなデータ群を生成する。詳細については後述する。
【００２４】
印刷画像選択部１１３はユーザによって指定された画像の画像ＩＤを領域選択部１１４で指定された印刷領域と関連づけて保持しておく。
【００２５】
領域選択部１１４はユーザによって指定された画像領域を印刷レイアウトと関連付けて保持しておく。
【００２６】
ＧＵＩ制御部１１５はユーザによるＧＵＩ操作部１１６のボタン操作を判定する。状況によりボタン操作の意味は変わってくるために状況に応じてボタン操作の意味を解釈し、必要な指示を各ブロックに対して発行する。
ＧＵＩ操作部１１６は図２に示すような操作部材および表示装置（ＬＣＤ２０７）から構成されている。操作内容はＧＵＩ制御部１１５に送られ、解釈される。
【００２７】
また、これらの各ブロックは、ＣＰＵ（不図示）によって制御される。ＣＰＵはプログラムメモリ（不図示）からプログラムコードを読み出し、プログラムに基づいて各ブロックの制御を行う。
【００２８】
図２は本発明による印刷装置の操作部である。
【００２９】
操作パネル２０１上に各操作部材と表示装置（ＬＣＤ）が配置されている。
２０２は電源ボタンで本システムの電源の入切に使用される。
２０３はＥＤＩＴボタンでトリミング印刷や印刷設定の変更に使用される。
２０４はＤＩＳＰボタンで画面表示の切り換えや印刷レイアウト上での画像印刷領域の切り換えに使用される。
２０５はＣＲＥＡＴＩＶＥボタンで印刷機能の選択に使用される。
２０６はＭＥＮＵボタンでメニューの表示／非表示の切り換えや、前画面に戻るために使用される。
２０７は表示装置（ＬＣＤ）で、画像の表示、各種アイコンの表示、印刷設定の表示などに使用される。
２０８は拡大ボタンで表示画像を拡大したり、表示モードの切り換えに使用される。
２０９は縮小ボタンで拡大再生中の画像の拡大率を下げたり表示モードの切り換えに使用される。
２１０は上ボタンで画像の指定／解除、トリミング枠の移動、画像拡大表示中のビュー移動に使用される。
２１１は左ボタンで表示画像を１つ前に戻したり、トリミング枠の移動、画像拡大表示中のビュー移動に使用される。
２１２は下ボタンで画像の指定／解除、トリミング枠の移動、画像拡大表示中のビュー移動に使用される。
２１３は右ボタンで表示画像を１つ先に進めたり、トリミング枠の移動、画像拡大表示中のビュー移動に使用される。
２１４はＳＥＴボタンで各種選択項目の決定、次画面への切り換えなどに使用される。
２１５はＰＲＩＮＴボタンでプリントの開始に使用される。
【００３０】
図３はマルチレイアウト設定画面である。
３０１は表示装置のＬＣＤであり、図１の各ブロックからの指示に応じて表示制御部１０８が表示画面データを作成し、ＬＣＤに表示させている。
【００３１】
３０２は画像表示領域でメモリカード１０２から読み出した画像はこの枠内に表示される。
【００３２】
３０３は画像戻しガイダンスアイコン、３０４は画像送りガイダンスアイコンで、アイコン表示部１０５から読み出したアイコンデータが表示されている。画像戻しガイダンスアイコン３０３に対応する左ボタン２１１を押すことにより画像表示領域３０２に表示される画像を１つ前のものに戻すことができ、また、画像送りガイダンスアイコン３０４に対応する右ボタン２１３を押すことにより画像表示領域３０２に表示される画像を１つ先のものに送ることができることを示している。このとき、画像表示領域３０２に表示される画像は、表示画像選択部１０７によって決定される。
【００３３】
３０５は印刷レイアウト表示領域である。図３では１枚の用紙に４つの画像を配置した４ｕｐのレイアウトを表示している。予めユーザによって指定されたレイアウトをレイアウト選択部１０４から読み出し、指定されたレイアウトが印刷レイアウト表示領域に表示される。
【００３４】
３０６は印刷レイアウト内の画像領域である。この領域に画像が配置されて印刷されることを示している。
【００３５】
３０７は印刷レイアウト内の画像領域のうち現在選択されている画像領域を示すフォーカス枠である。ユーザは、フォーカス枠があたっている印刷レイアウト内の画像領域に対して、印刷する画像の割り当て、または、割り当て解除の操作を行う。また、本実施例では、現在選択されている画像領域をフォーカス枠で示したが、他の画像領域と区別がつくような表示を行えばよいので、異なった色で領域を表示したり、マークを付加して表示したりしてもよい。例えば、現在選択されている画像領域を他の画像領域とは異なる色、太さのフォーカス枠で示すことにより、現在選択されている領域を確認しやすくなる。
【００３６】
３０８は印刷レイアウト内の画像領域に対する画像割り当てチェックマークである。このチェックマークが表示されている画像領域には画像が割り当てられていることを示す。本実施例ではチェックマークで示したが、画像領域に画像が割り当てられていることが分かればよいので、他のマークを用いてもよい。また、画像が割り当てられている画像領域と割り当てられていない画像領域で領域の表示色を変えて区別して表示することにより、画像領域に画像が割り当てられていることを示しても良い。
【００３７】
３０９は印刷レイアウト内の画像領域のフォーカス枠移動のためのガイダンスアイコンである。ＤＩＳＰキーを押すことによって印刷レイアウト表示領域３０５に表示されているフォーカス枠３０７が次の画像領域に順次移動していく。
【００３８】
３１０は３０２画像表示領域に表示中の画像が印刷レイアウト中の画像領域に割り当てられている画像であるかどうかを示すチェックマーク表示部である。チェックマークが表示されていれば現在表示中の画像が画像領域に割り当てられていることを示す。図３では、画像領域に割り当てられている画像であるかどうかをチェックマークで示したが、画像領域に割り当てられている画像であるかどうか分かれば他のマークや記号で表してもよい。つまり、画像領域に割り当てられている画像と割り当てられていない画像を区別して表示すればよい。また、例えば、それぞれの画像領域に番号を付与し、画像領域に割り当てられている画像が画像表示領域に表示された場合には、割り当てられている画像領域に対応する番号をチェックマーク表示部３１０に表示さるようにしてもよい。このような番号を表示させれば、現在画像表示領域に表示されている画像が、どこの画像領域に割り当てられているかを、チェックマーク表示部を見るだけで確認することができる。
【００３９】
３１１は前画面に戻るためのＭＥＮＵガイダンスアイコンである。ＭＥＮＵキーを押すことで図３に表示中の画面の前の画面に戻ることができることを示す。本実施例では、図３のＧＵＩ画面の前に表示されていた、レイアウト選択画面に戻ることができる。
【００４０】
３１２は次画面に進むためのＳＥＴガイダンスアイコンである。ＳＥＴキーを押すことで図３に表示中の画面の次の画面に進むことができることを示す。本実施例では、図３のＧＵＩ画面の後に表示される、印刷確認画面に進むことができる。
【００４１】
ガイダンスアイコン３０３、３０４、３０９、３１１、３１２、また、チェックマーク表示部３１０、チェックマーク３０８は、アイコン表示部１０５から読み出されたアイコンデータやマークであり、これらのアイコンやメモリカード１０２から読み出した画像に基づいて表示制御部が表示画面データを作成し、ＬＣＤにＧＵＩ画面を表示させている。
【００４２】
このようなマルチレイアウト設定画面を表示させることで、画像選択と、印刷レイアウト中の画像の割り当ての操作を、１つの設定画面上で行うことができる。
【００４３】
また、レイアウト表示領域中の画像領域に画像が割り当てられている場合は、マークを表示させるので、レイアウト中にどの画像領域に画像がすでに割り当てられているかを、マルチレイアウト設定中に確認することができる。
【００４４】
また、同様に、選択されている画像領域に割り当てられている画像を確認することができる。
【００４５】
また、すでに印刷レイアウト中のいずれかの画像領域に割り当てられている画像が、画像表示領域に表示された場合は、マークを表示させるので、画像表示領域に表示されている画像がすでにレイアウト設定されているかを確認できる。そのため、同じ画像を間違えて２度選択するようなことは防ぐことができる。
【００４６】
また、本実施例では、画像選択を行う場合には、十字キー（方向キー）である右ボタン２１３、左ボタン２１１を使用し、印刷レイアウトの画像領域を選択するときには、ＤＩＳＰボタン、画像領域に対する印刷画像を設定するときにはＳＥＴボタンを使用している。画像選択とレイアウト設定とで異なる操作部材を使用して操作を行うため、モード切り替え等による操作部の機能の切り替えを行うこともなく、ユーザに混乱を与えず使い勝手の良い印刷装置を実現している。
【００４７】
図４はレイアウト生成部１１２が生成する印刷レイアウトデータのデータ構造である。
【００４８】
印刷レイアウトデータの雛型はレイアウト選択部１０４が各用紙サイズごとに４種類ずつ保持している。ユーザにより選択された用紙サイズおよびレイアウトに応じて適切なレイアウトデータの雛型をレイアウト選択部１０４から取得してレイアウト生成部１１２にてレイアウトデータを生成する。
【００４９】
レイアウトデータは各項目４バイトのデータ長を持つデータの集合でデータの項目数はレイアウトによって異なる。
【００５０】
図４では、４ｕｐのレイアウトが選択された場合を例に説明する。
【００５１】
そのため、この印刷レイアウトの画像領域は、画像領域１、画像領域２、画像領域３、画像領域４の４つ存在することになる。
【００５２】
レイアウトデータはヘッダとして３項目あり各フレームに対するデータが画像領域の個数分だけそのあとに続く構成となっている。
【００５３】
４０１は印刷装置に記憶されているレイアウトパターンを示すレイアウトＩＤが記述されている。このレイアウトのＩＤは印刷装置でユニークに決められている値である。
【００５４】
４０２はこのレイアウトで配置可能な画像領域数を示す。画像領域が４つある場合には「４」と記録される。
【００５５】
なお、本印刷レイアウトデータのデータ構造では、全項目数は
（画像領域数）ｘ３＋３
で計算できるので、４０２を参照することで有効な項目数を知ることができる。また１項目につき４バイトのデータ長となるので有効なデータ長も知ることができる。
【００５６】
４０３は現在選択中の画像領域を示すフレーム番号である。現在選択されている画像領域を示すフォーカス枠３０７が移動すれば、ここのフレーム番号も変化して記録される。
【００５７】
ここまでの４０１、４０２、４０３までがヘッダ部分である。ここまでの構造はすべてのレイアウトについて同様である。
【００５８】
４０４以降はレイアウト上の各画像領域に対するデータ項目の繰り返しとなる。画像領域１つに付き３つの項目があり、４０２に記載の個数分のデータが続く。
【００５９】
４０４は画像領域１に配置された画像ＩＤである。この領域に画像が配置されていない場合は０が入る。
４０５は画像領域１に配置された画像の用紙上でのＸ方向の座標である。
４０６は画像領域１に配置された画像の用紙上でのＹ方向の座標である。
４０４に０が入っている場合には画像が配置されていないので４０５および４０６は無効な値となる。
４０７は画像領域２に配置された画像ＩＤである。この領域に画像が配置されていない場合は０が入る。
４０８は画像領域２に配置された画像の用紙上でのＸ方向の座標である。
４０９は画像領域２に配置された画像の用紙上でのＹ方向の座標である。
４０７に０が入っている場合には画像が配置されていないので４０８および４０９は無効な値となる。
４１０は画像領域３に配置された画像ＩＤである。この領域に画像が配置されていない場合は０が入る。
４１１は画像領域３に配置された画像の用紙上でのＸ方向の座標である。
４１２は画像領域３に配置された画像の用紙上でのＹ方向の座標である。
４１０に０が入っている場合には画像が配置されていないので４１１および４１２は無効な値となる。
４１３は画像領域４に配置された画像ＩＤである。この領域に画像が配置されていない場合は０が入る。
４１４は画像領域４に配置された画像の用紙上でのＸ方向の座標である。
４１５は画像領域４に配置された画像の用紙上でのＹ方向の座標である。
４１３に０が入っている場合には画像が配置されていないので４１４および４１５は無効な値となる。
【００６０】
各画像領域は順番どおりに画像を配置する必要はなく、途中に画像なしの領域があっても良い。
【００６１】
４０４〜４０６、４０７〜４０９、４１０〜４１２、４１３〜４１５には、それそれ画像領域に対応していて、それぞれの画像領域に対応する画像領域情報が記録されている。
【００６２】
図４では４つの画像を配置可能な４ｕｐのレイアウトを例に取ったが、他のレイアウトにも適応できる。
【００６３】
また、この印刷レイアウトデータは、印刷装置内のメモリ（不図示）に記録されていて、マルチレイアウト設定を行う際には、データ保持部１０９で一時的に記録し、ユーザの操作や、設定にあわせて適宜データの更新処理が行われる。
【００６４】
図５は本発明による印刷装置のマルチレイアウトの設定を行う処理の流れを示すフローチャートである。
【００６５】
これらの処理は、ＣＰＵ（不図示）の制御のもとで行われる。
【００６６】
電源ボタン２０２を押すと本印刷装置は起動し、ＩＯ制御部１０３がメモリカード１０２の内容を捜査する。そして、表示画像選択部１０７が、メモリカード１０２に記憶されている複数の画像データから画像リストを作成して各画像に画像ＩＤを割り当てて画像の管理を行う。画像リストは画像データの作成された順にソートされ古い順に若いＩＤを割り当てられる。印刷装置の起動時には、日付の新しい最新の画像をＬＣＤ２０７に表示する。
【００６７】
ＬＣＤ２０７に画像が表示された状態でＣＲＥＡＴＩＶＥボタン２０５を押すと、ＬＣＤ２０７にレイアウト選択画面（非図示）が表示される。
【００６８】
ステップ５０１では、レイアウト選択画面（不図示）において、ＬＣＤ２０７に表示されたレイアウトパターン一覧から所望のレイアウトを選択する。レイアウト選択画面では、レイアウト選択部に保持されているレイアウトパターンが一覧表示される。レイアウトパターン一覧表示のうちの一つにフォーカス枠が表示されているので、ユーザは上下左右ボタン（２１０〜２１３）を押してフォーカス枠を移動させる。所望のレイアウトにフォーカス枠が表示されている時にＳＥＴボタン２１４を押すとそのレイアウトが選択できる。レイアウト選択画面にてＳＥＴボタン２１４を押すとレイアウトの確定と共に次のステップへ進み、図３に示すようなマルチレイアウト設定画面が表示制御手段により作成され、ＬＣＤ２０７に表示される。
【００６９】
ステップ５０２では、まず、印刷レイアウト表示領域３０５が生成され表示される。ステップ５０１で選択されたレイアウトに応じて印刷レイアウト内の画像領域３０６を適切な場所に必要な個数描画して表示させる。また、４０３を参照して現在選択中の画像領域を判定し、選択中の画像領域に対してはフォーカス枠３０７を表示させる。
【００７０】
ステップ５０３では、画像表示領域３０２に画像を表示する。表示する画像は現在フォーカス枠が表示されている画像領域に割り当てられている画像である。具体的には４０３を参照してフォーカス枠が表示されている画像領域を知り、その画像領域の画像ＩＤ格納部分（４０４、４０７など）から画像ＩＤを得る。この画像ＩＤに対応する画像を、表示画像選択部１０７がメモリカード１０２から読み出し、画像再生部１０６でデータ変換して、表示制御部１０８によりＬＤＣに表示される。
【００７１】
また、画像ＩＤが０のときは、割り当てられている画像はないのでクリエイティブボタン２０５を押す前に表示していた画像をそのまま表示する。
【００７２】
ステップ５０４にでは、チェックマークを表示させる。チェックマークを表示させるときには、図４の印刷レイアウトデータを参照し、画像領域に画像が割り当てられているかを調べる。具体的には４０４や４０７のように画像ＩＤが格納されている領域の値が０であるか否かを調べる。０であれば画像は割り当てられていないのでその画像領域に対してはチェックマーク３０８を表示しない。画像ＩＤが０以外の数値であり、画像領域に対して画像が割り当てられているときには、その画像領域に対してチェックマーク３０８を表示する。これを印刷レイアウト表示領域３０５表示されているすべての画像領域、すなわち、印刷レイアウトデータに記述されているすべての画像領域に対しておこなう。また、現在、画像表示領域３０２に表示中の画像が現在フォーカス枠が表示されている画像領域に割り当てられている画像である場合は、表示画像がすでに印刷レイアウトの画像領域に割り当てられていることを示すチェックマークをチェックマーク表示部３１０表示する。
【００７３】
また、フローチャートには記載していないがＧＵＩ画面構成要素として、ガイダンスアイコン３０３，３０４，３０９，３１１，３１２をアイコン表示部から読み込み、表示制御部１０８はこれらのアイコンをＧＵＩ画面の所定位置に表示させる。
【００７４】
ステップ５０２〜５０４の処理を終えて画面表示が完了したら、キー入力待ち状態になる。
【００７５】
ステップ５０５において押されたキーが画像送り（戻し）指示に対応しているボタンである右ボタン２１３または左ボタン２１１であるかどうかを判定する。押されたキーが右ボタン２１３または左ボタン２１１であるときは、画像送り（戻し）の指示なので、ステップ５０６に進み、画像送りの処理をおこなう。処理の詳細については後述する。押されたキーが右ボタン２１３または左ボタン２１１でなければステップ５０７に進む。
【００７６】
ステップ５０７において押されたキーが画像選択指示に対応している上ボタン２１０または下ボタン２１２であるかどうかを判定する。押されたキーが上ボタン２１０または下ボタン２１２のときは、画像選択の指示なので、ステップ５０８に進み、画像選択の処理をおこなう。処理の詳細については後述する。押されたキーが上ボタン２１０または下ボタン２１２でなければステップ５０９に進む。
【００７７】
ステップ５０９において押されたキーが領域選択指示に対応しているＤＩＳＰボタン２０４であるかどうかを判定する。押されたキーがＤＩＳＰボタン２０４でのときは、領域選択の指示なので、ステップ５１０に進み、領域選択の処理をおこなう。処理の詳細については後述する。押されたキーがＤＩＳＰボタン２０４でなければステップ５１１に進む。
【００７８】
ステップ５１１において押されたキーがＳＥＴボタン２１４であるかどうかを判定する。押されたキーがＳＥＴボタン２１４でなければキー入力待ち状態を継続する。
【００７９】
押されたキーがＳＥＴボタン２１４であればこのマルチレイアウト設定画面でのレイアウト設定処理は終了して次の印刷確認画面（非図示）に進む。
【００８０】
図６は画像送り処理の流れを示すフローチャートである。
【００８１】
図５のステップ５０５においてユーザの操作が画像送りであると判定された場合にはステップ５０６の画像送り処理に進むが、その画像送り処理の詳細が図６の処理となる。
【００８２】
まず、ステップ６０１において現在表示中の画像ＩＤを取得する。
【００８３】
ステップ６０２においてキー入力が右ボタン２１３か左ボタン２１１であるか判定する。
【００８４】
キー入力が右ボタン２１３であれば、画像送りの指示が入力されたとしてステップ６０３に進み、現在画像表示領域に表示されている画像の次の画像の画像ＩＤを表示画像選択部１０７が取得する。前述したとおり、表示画像選択部１０７は、電源ボタン２０２を押して印刷装置を起動した時にメモリカード１０２の内容を捜査して保持された画像データ群から画像リストを作成して各画像に画像ＩＤを割り当てている。画像リストは画像データの作成された順にソートされ古い順に若いＩＤを割り当てられているので次の画像ＩＤを取得するためには画像リストから現在の画像ＩＤのエントリを探し、その次の画像ＩＤを取得すればよい。
【００８５】
キー入力が左ボタン２１１であれば、画像戻しの指示が入力されたこととなり、ステップ６０４に進み、表示画像選択部１０７が現在の画像表示領域に表示されている画像の前の画像の画像ＩＤを取得する。この場合は、画像リストから現在の画像ＩＤのエントリを探し、その前の画像ＩＤを取得すればよい。
【００８６】
次に表示すべき画像ＩＤが取得できたならば、ステップ６０５に進み、表示画像選択部１０７がメモリカード１０２から画像ＩＤに対応する画像を取得し、取得した画像を画像再生部でデータ変換して、表示制御部１０８の制御により画像表示領域３０２に表示させる。
【００８７】
ステップ６０６では、画像表示領域３０２に表示された画像が、現在選択され、フォーカス枠が表示されている画像領域に割り当てられているかどうかを判定する。この判定は、以下のように行われる。まず、図４の印刷レイアウトデータを参照し、４０３の内容を読み選択されている画像領域の画像ＩＤ（４０４、４０７など）を読み出す。次に、この選択されている画像領域の画像ＩＤと現在表示中の画像ＩＤが一致すれば表示中の画像は選択されている画像領域に割り当てられていると判定する。画像表示領域３０２に表示された画像が、選択されている画像領域に割り当てられていると判定された場合は、ステップ６０７においてチェックマークをチェックマーク表示部３１０に表示する。
【００８８】
選択された画像領域に割り当てられた画像ＩＤと表示中の画像ＩＤが一致しなければ、ステップ６０８において表示画像に対するチェックマーク３１０は非表示とする。
【００８９】
ステップ６０９において画像送り処理は終了して呼び出し元にもどる。呼び出し元は図５のステップ５０６であるので、キー入力待ち状態に戻ることになる。
【００９０】
図７は画像選択処理の流れを示すフローチャートである。
【００９１】
図５のステップ５０７においてユーザの操作が画像選択であると判定された場合にはステップ５０８の画像選択処理に進むが、その画像選択処理の詳細が図７の処理となる。この、画像選択処理では、選択されている画像領域に対する画像の割り当てや、その解除の処理が行われる。
【００９２】
まず、ステップ７０１において現在画像表示領域３０２に表示されている画像の画像ＩＤを取得する。
【００９３】
ステップ７０２では、現在画像表示領域３０２に表示されている画像が、現在選択され、フォーカス枠が表示されている画像領域に割り当てられているかを判定する。この判断方法は図６における判断方法と同様である。画像表示領域３０２に表示されている画像が、現在選択されている画像領域に割り当てられていると判断した場合は、図５のステップ５０７でのユーザの画像選択操作は、画像の割り当てを解除することになる。そこで、ステップ７０５において、現在表示中の画像のチェックマーク表示部３１０のチェックマークを非表示にする。続いてステップ７０６では、現在選択されている画像領域に割り当てられた画像が解除されたことにより、現在選択されている画像領域のチェックマーク３０６も非表示にする。このように、ステップ７０５，７０６では画像領域に対する画像の割り当ての解除の処理を行う。
【００９４】
ステップ７０２における判定で現在、画像表示領域の画像が選択されている画像領域に割り当てられていないと判定されれば、図５のステップ５０７でのユーザの画像選択操作は、画像の割り当ての指示であると判断される。そこで、ステップ７０３において現在表示中の画像のチェックマーク表示部３１０のチェックマークを表示し、画像表示領域に表示されている画像が、現在選択されている画像領域に割り当てられていることを明示する。続いて、選択されている画像領域に画像が割り当てられたので、ステップ７０４において現在選択されている画像領域のチェックマーク３０６を表示させる。このように、ステップ７０３，７０４では画像領域に対する画像の割り当ての設定の処理が行われる。
【００９５】
ステップ７０７において印刷レイアウトデータテーブルの更新をおこなう。
【００９６】
ユーザ操作が画像の割り当てであれば図４の４０３の示す選択中画像領域の画像ＩＤ（４０４，４０７など）を現在表示中の画像ＩＤに置き換える。ユーザ操作が画像の割り当ての解除であれば図４の４０３の示す選択中画像領域の画像ＩＤ（４０４，４０７など）を０に置き換える。
【００９７】
ステップ８１３において画像選択処理は終了して呼び出し元にもどる。呼び出し元は図５のステップ５０８であるので、キー入力待ち状態に戻ることになる。
【００９８】
図８は画像領域選択処理の流れを示すフローチャートである。
【００９９】
図５のステップ５０９においてユーザの操作が領域選択であると判定された場合にはステップ５１０の画像領域選択処理に進むが、その画像領域選択処理の詳細が図８のフローチャートとなる。
【０１００】
ステップ８０１において現在選択され、印刷レイアウト表示領域３０５に表示されているレイアウトを取得する。具体的には、図４の印刷レイアウトデータの４０１を参照すると現在のレイアウトが取得できる。
【０１０１】
ステップ８０２においてレイアウト表示領域３０５の表示をおこなう。これは図５のステップ５０２でおこなった処理と同じである。
【０１０２】
ステップ８０３において現在選択されている画像領域の取得をおこなう。具体的には、図４の印刷レイアウトデータを参照し４０３の内容を読み、選択されている画像領域を取得する。このときの画像領域にはフォーカス枠３０７が表示されているのでそのフォーカス枠３０７は非表示とする。
【０１０３】
ステップ８０４において次の画像領域の取得をおこなう。ステップ８０３において取得した画像領域に１を加算したものが次の画像領域となるが、次の画像領域の番号が、図４の印刷レイアウトデータの４０２のレイアウト内の画像領域数よりも大きければ、次の画像領域の番号は１になる。これはレイアウト内の画像領域の最後まで選択が進んだら次はまた最初の画像領域に戻ることを意味する。このとき表示制御部１０８は、次の画像領域にフォーカス枠３０７を表示する。
【０１０４】
ステップ８０５においてステップ８０４にて取得した画像領域に画像が割り当て済か判定する。この判定は、画像送り処理や画像選択処理での判定と同様に行う。ステップ８０４にて取得した画像領域に画像が割り当てられていたらステップ８０６に進む。
【０１０５】
ステップ８０６において新たにフォーカス枠３０７を表示した画像領域にチェックマーク３０８を表示する。
【０１０６】
ステップ８０７において新たにフォーカス枠３０７を表示した画像領域に割り当てられた画像ＩＤを取得する。これはステップ８０５で取得した画像ＩＤと同じである。
【０１０７】
ステップ８０８において、ステップ８０７で取得した画像ＩＤに対応する画像を取得し、取得した画像を画像再生部でデータ変換して、表示制御部１０８の制御により画像表示領域３０２に表示させる。このようにして、新たにフォーカス枠３０７を表示した画像領域に割り当てられた画像を表示する。
【０１０８】
ステップ８０９において印刷レイアウトデータテーブルを更新する。図４の４０３を新たにフォーカス枠３０７を表示した画像領域に更新する。
【０１０９】
ステップ８０５においてステップ８０４にて取得した画像領域に画像が割り当て済ではないと判定されたらステップ８１０に進む。
【０１１０】
ステップ８１０において新たにフォーカス枠３０７を表示した画像領域のチェックマーク３０８を非表示にする。
【０１１１】
ステップ８１１において現在表示中の画像を取得し、ステップ８１２においてその画像を表示する。実際にはすでに画像は表示中なので実処理としてはなにもしない。
【０１１２】
ステップ８０９およびステップ８１２の処理が終了したらステップ８１３において画像領域選択処理は呼び出し元に戻る。呼び出し元は図５のステップ５１０であるので、キー入力待ち状態に戻ることになる。
【０１１３】
以上、図５のステップ５０５〜５１１の処理を必要なだけ繰り返すことにより、選択したレイアウトのそれぞれの画像領域に任意の画像を割り当てて、画像領域に対する印刷画像を設定することが可能となる。
【０１１４】
上記処理の中である画像領域に画像を割り当てなかった場合には図４の印刷レイアウトデータの画像ＩＤ領域には０が入ったままとなる。印刷時はこの部分への画像展開をおこなわないためにその領域は空白のまま印刷されることになる。
【０１１５】
このようにして複数の画像印刷領域が配置された定型のレイアウトにおいて任意の画像を画像印刷領域に割り当てて印刷するマルチレイアウト印刷の設定を実現できる。
【０１１６】
また、上記実施例のような構成により、画像選択操作とレイアウト中の画像領域選択操作を、モード切替することなく同時に行うことが可能となる。
【０１１７】
また、選択した画像領域に割り当てられた画像を簡易に確認することが可能となる。
【０１１８】
選択した画像領域に画像が割り当てられているかどうかを簡易に確認することが可能となる。
【０１１９】
選択した画像領域に割り当てられた画像がどの画像であるかを簡易に確認することが可能となる。画像をプリントすべき位置を余白にすることでプリントするレイアウトの自由度を高めることが可能となる。
【０１２０】
設定した内容が、すぐに印刷レイアウトデータテーブル、画像画像表示領域、レイアウト表示領域等に反映されるので、マルチレイアウト設定中に設定内容を確認することが可能となる。
【０１２１】
印刷レイアウト表示領域には、画像領域に割り当てられた画像そのものを表示させても良いが、画像ではなくチェックマークを表示させることで、印刷装置のような小さなＬＣＤしか備えていないような装置でも、印刷設定の内容を確認することができる。
【０１２２】
画像領域のチェックマーク表示を行うときは、画像領域に割り当てられた画像を確認可能するために、画像が割り当てられている画像領域が選択された場合は、画像表示領域に割り当てられた画像表示することで、画像領域に割り当てられた画像の確認が可能となる。
【０１２３】
（実施例２）
上記第１の実施例では画像送りに左ボタンー２１１と右ボタン２１３、画像選択に上ボタン２１０と下ボタン２１２、印刷レイアウト上の画像領域選択にＤＩＳＰボタン２０４をそれぞれ使用した。
【０１２４】
第２の実施例では図９に示すような操作部を使用することで画像送り、画像選択、画像領域選択のそれぞれに第１の実施例とは別のボタンを割り当てる。
【０１２５】
図９は本発明第２の実施例の印刷装置の操作部である。
【０１２６】
操作パネル９０１上に各操作部材と表示装置（ＬＣＤ）が配置されている。
９０２は電源ボタンで本システムの電源の入切に使用される。
９０３はＥＤＩＴボタンでトリミング印刷や印刷設定の変更に使用される。
９０４はＤＩＳＰボタンで画面表示の切り換えや画像の指定／解除に使用される。
９０５はＣＲＥＡＴＩＶＥボタンで印刷機能の選択に使用される。
９０６はＭＥＮＵボタンでメニューの表示／非表示の切り換えや、前画面に戻るために使用される。
９０７は表示装置（ＬＣＤ）で、画像の表示、各種アイコンの表示、印刷設定の表示などに使用される。
９０８は拡大ボタンで、表示画像の拡大や表示モードの切り換えに使用される。
９０９は縮小ボタンで、拡大再生中の画像の拡大率の減少や表示モードの切り換えに使用される。
９１０は上ボタンで、印刷レイアウト上での画像領域の選択、トリミング枠の移動、画像拡大表示中のビュー移動に使用される。
９１１は左ボタンで、印刷レイアウト上での画像領域の選択、トリミング枠の移動、画像拡大表示中のビュー移動に使用される。
９１２は下ボタンで、印刷レイアウト上での画像領域の選択、トリミング枠の移動、画像拡大表示中のビュー移動に使用される。
９１３は右ボタンで、印刷レイアウト上での画像領域の選択、トリミング枠の移動、画像拡大表示中のビュー移動に使用される。
９１４はＳＥＴボタンで、各種選択項目の決定、次画面への切り換えなどに使用される。
９１５はＰＲＩＮＴボタンで、プリントの開始に使用される。
９１６は時計回り／反時計回り両方向に回転可能なホイールで次の画像を表示したり、前の画像を表示するために使用される。
【０１２７】
第２の実施例では画像送りにホイール９１６を使用し時計回り方向にホイールを回すと回した量に応じて画像を進める。
【０１２８】
ホイール９１６を反時計回りに回すと回した量に応じて画像を戻す。
【０１２９】
上下左右ボタンは印刷レイアウト上での画像領域選択に使用する。
【０１３０】
上ボタン９１０を押すと画像領域フォーカス枠３０７は一つ上の画像領域に移動する。移動前に最上部の画像領域にフォーカスしていたら最下部の画像領域にフォーカスを移す。
【０１３１】
下ボタン９１２を押すと画像領域フォーカス枠３０７は一つ下の画像領域に移動する。移動前に最下部の画像領域にフォーカスしていたら最上部の画像領域にフォーカスを移す。
【０１３２】
右ボタン９１３を押すと画像領域フォーカス枠３０７は一つ右の画像領域に移動する。移動前に最右部の画像領域にフォーカスしていたら最左部の画像領域にフォーカスを移す。
【０１３３】
左ボタン９１１を押すと画像領域フォーカス枠３０７は一つ左の画像領域に移動する。移動前に最左部の画像領域にフォーカスしていたら最右部の画像領域にフォーカスを移す。
【０１３４】
ＤＩＳＰボタン２０４を押すとその時にフォーカスされている画像領域に画像が割り当てられていない状態であればその時に表示中の画像をフォーカスされている画像領域に割り当てる。
【０１３５】
もともと画像が割り当てられていたのであれば割り当てを解除する。
【０１３６】
個々の処理の内容は第１の実施例と同様である。
【０１３７】
（実施例３）
実施例３について、説明する。実施例３の基本的動作および処理は、実施例１，２と同様である。また、図１０において、実施例１と同じ符号が付されているものは、実施例１と同様の機能を有している。ここでは、実施例１，２と異なるの部分を中心に説明する。
【０１３８】
図１０は、はマルチレイアウト設定画面である。基本的には図３のマルチレイアウト設定画面と同様であるが、図１０の設定画面では、画像表示領域３０２に複数の画像が表示されている。また、図１０では、前のレイアウト設定画面（不図示）、６ｕｐのレイアウトを指定しているために、印刷レイアウト表示領域３０５には画像領域３０６が６つある印刷レイアウトが表示されている。
【０１３９】
図３のような、画像表示領域に１つの画像が表示されている１画像表示モードにおいて、縮小ボタン２０９を押すことで、図１０のような、画像表示領域に複数の画像が表示される複数画像表示モードのマルチレイアウト設定画面に切替えることができる。また、複数画像表示モードのマルチレイアウト設定画面から、拡大ボタン２０８を押すと、１画像表示モードのマルチレイアウト設定画面に切替えることができる。
【０１４０】
複数画像表示モードに切替えられた場合は、次のようにして画像表示領域に画像を表示させる。
【０１４１】
まず、実施例１と同様に現在フォーカス枠３０７が表示されている画像領域に割り当てられている画像の画像ＩＤを取得する。そして、この画像ＩＤを含む複数の画像ＩＤを画像リストから取得する。具体的には、表示画像選択部は、画像リストから画像領域に割り当てられている画像の画像ＩＤを探し、その前後の画像の画像ＩＤを表示領域に表示する画像の分だけ読み出す。図１０のように画像表示領域３０２に９枚の画像を表示させる場合、現在フォーカス枠３０７が表示されている画像領域に割り当てられているＩｍａｇｅＤの画像ＩＤを含む、９つの画像ＩＤを取得する。取得した画像ＩＤに対応する画像を、表示画像選択部１０７がメモリカード１０２から読み出し、画像再生部１０６でデータ変換して、表示制御部１０８により画像表示領域に表示される。画像表示領域に表示するときには、画像リストの順に画像を配置させて表示させる。
【０１４２】
さらに、表示されている複数の画像のうち、現在フォーカス枠３０７が表示されている画像領域に割り当てられている画像に画像選択枠３１５を付けて表示させ、他の画像と区別して表示させる。画像選択枠３１５は、複数の画像のうち、どの画像が現在選択されているかを示している。
【０１４３】
もし、現在選択されている画像領域に画像が割り当てられていない場合は、画像表示モード切り替え前に画像表示領域３０２に表示されていた画像の前後の画像を表示し、切り替え前に表示されていた画像に画像選択枠を表示させる。
【０１４４】
また、画像表示領域３０２に表示されているそれぞれの画像にチェックマーク表示部３１０を設け、それぞれの画像が印刷レイアウト中の画像領域に割り当てられている場合にはチェックマークを表示させる。こうすることにより、複数の画像を見ながら、どの画像が画像領域に割り当てられているかを確認することができる。
【０１４５】
このように、複数の画像を一度に画像表示領域に表示させることにより、すでに画像領域に割り当てられている画像を確認しながら、現在選択している画像領域に割り当てる画像を選択することができ、操作性が向上する。
【０１４６】
次に、画像送り処理について説明する。
【０１４７】
画像送り指示のための右ボタン２１３が押されると、画像選択枠３１５が次の画像に移る。右ボタン２１１を押すことにより、画像選択枠が、ＩｍａｇｅＡ→ＩｍａｇｅＢ→ｉｍａｇｅＣ→ＩｍａｇｅＤ→ｉｍａｇｅＥ→、、、→ＩｍａｇｅＩと移っていく。図１０の状態で右ボタン３１５押されると、ＩｍａｇｅＤに画像選択枠が表示される。そして、ＩｍａｇｅＩに画像選択枠が表示されているときには、画像リスト上のＩｍａｇｅＩの次の９つの画像を画像選択部が読み出し、画像領域に表示されることになる。画像戻し指示のための左ボタン２１１が押されたときは、画像送りとは逆の方向に画像選択枠が移っていく。
【０１４８】
次に、領域選択処理について説明する。
【０１４９】
画像領域選択の指示が入力されたら、画像領域の選択を次の画像領域に切り替え、図８のフローと同様に画像領域のフォーカス枠を次の画像領域に移動して表示させる。そして、新しく選択された画像領域に割り当てられている画像があるようであれば、画像表示領域に割り当てられている画像を表示させる。このとき印刷レイアウトデータから、選択されている画像領域に割り当てられている画像ＩＤを読み出し、画像リストに基づいて、この画像ＩＤを含む画像を表示領域に表示させる枚数分だけ読み出して画像表示領域に表示させる。そして、印刷レイアウト中の画像領域に割り当てられている画像にはチェックマークをチェックマーク表示部に表示させる。さらに、現在選択されてフォーカス枠が表示されている画像領域に割り当てられている画像には画像選択枠を表示させる。画像領域選択を行ったときに、選択した画像領域に割り当てられている画像がある場合は、その画像を含む複数の画像が表示され、割り当てられている画像が選択されている状態になる。つまり、すでに画像領域にチェックマークが付いている画像領域を選択することで、その画像領域に割り当てられている画像を確認することができる。しかも、画像領域には割り当てられている画像だけでなく、複数の画像も表示される。
【０１５０】
また、実施例１では、１つの印刷ページに対して、画像の割り当てを行うマルチレイアウトの設定をおこなったが、実施例３では、複数の印刷ページに対してそれぞれ所望の画像を印刷レイアウト中の画像領域に割り当てることもできる。ＥＤＩＴボタン２０３を押すと、印刷レイアウト表示領域３０５には、次のページの印刷レイアウトが表示される。また、ＣＲＥＡＴＩＶＥボタン２０５を押すと、前のページの印刷レイアウトが表示される。ＥＤＩＴガイダンスアイコンは、ＥＤＩＴボタン２０３により次ページへの切り替え指示が入力できることを、ＣＲＥＡＴＩＶＥガイダンスアイコンは、ＣＲＥＡＴＩＶＥボタン２０５により前ページへの切り替え指示が入力できることを示している。
【０１５１】
ページの切り替え指示が行われると、印刷レイアウト表示領域の表示が次、または前ページの印刷レイアウトの表示に切り替わり、さらに、フォーカス枠は新しい印刷レイアウト上の左上の画像領域に移動する。また、ページの切り替え時にも、印刷レイアウトデータが更新される。まず、ページ切り替えにより移動したフォーカス枠が表示される画像領域のフレーム番号を４０３に記録する。もし、次のページへの切り替え指示が入力された場合に、印刷レイアウトデータ中に次のページのための画像領域情報を格納する項目がない場合には、印刷レイアウトデータに新しいページの画像領域分の項目を追加する。そのため、印刷レイアウトデータの全項目数は、（１レイアウト中の画像領域の数）×（ページ数）×３＋３となる。
【０１５２】
このような構成により、複数の印刷ぺージに対してそれぞれ異なる画像を任意のレイアウト位置に配置して印刷を行うための設定が、簡単に行えるようになる。特に、プリンタ等の操作部材の少ない装置においても、複雑なマルチレイアウトの設定を簡単な操作で行えるようになる。
【０１５３】
＜その他の実施例＞
以上、本発明をその好適な実施形態に基づいて詳述してきたが、本発明はこれら特定の実施形態に限られるものではなく、この発明の要旨を逸脱しない範囲の様々な形態も本発明に含まれる。上記実施例では印刷装置においてマルチレイアウトの設定を行う場合について説明したが、本発明のマルチレイアウト設定については、デジタルカメラ、パーソナルコンピュータ、画像再生装置、携帯電話等の画像の印刷設定を行う電気機器に適応できる。
【０１５４】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【０１５５】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【０１５６】
その場合、プログラムの機能を有していれば、オブジェクトコード、インタプリタにより実行されるプログラム、ＯＳに供給するスクリプトデータ等、プログラムの形態を問わない。
【０１５７】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等が考えられる。また、光／光磁気記憶媒体、不揮発性の半導体メモリでもよい。
【０１５８】
有線／無線通信を用いたプログラムの供給方法としては、次のような方法が考えられる。すなわち、コンピュータネットワーク上のサーバに本発明を形成するコンピュータプログラムそのもの、もしくはプログラムデータファイルを記憶し、接続のあったクライアントコンピュータにプログラムデータファイルをダウンロードするような方法である。
【０１５９】
ここで、プログラムデータファイルは、本発明を形成するコンピュータプログラムを圧縮され自動インストール機能を含むファイル等も含む。
【０１６０】
この場合、プログラムデータファイルを複数のセグメントファイルに分割し、セグメントファイルを異なるサーバに配置することも可能である。
【０１６１】
つまり、本発明の機能処理をコンピュータで実現するためのプログラムデータファイルを複数のユーザに対してダウンロードさせるサーバ装置も本発明に含む。
【図面の簡単な説明】
【０１６２】
【図１】本発明の第１の実施例に係る印刷装置の構成を表すブロック図である。
【図２】本発明の第１の実施例に係る印刷装置の操作部である。
【図３】本発明の第１の実施例に係る印刷装置の表示画面である。
【図４】本発明の第１の実施例に係る印刷装置の印刷レイアウトデータのデータ構造である。
【図５】本発明の第１の実施例に係る印刷装置の処理の流れを示すフローチャートである。
【図６】本発明の第１の実施例に係る印刷装置の画像送り処理の流れを示すフローチャートである。
【図７】本発明の第１の実施例に係る印刷装置の画像選択処理の流れを示すフローチャートである。
【図８】本発明の第１の実施例に係る印刷装置の画像領域選択処理の流れを示すフローチャートである。
【図９】本発明の第２の実施例に係る印刷装置の操作部である。
【図１０】本発明の第３の実施例に係る印刷装置の表示画面である。
【符号の説明】
【０１６３】
１０１  各ブロックを接続するバス
１０２  メモリカード
１０３  ＩＯ制御部
１０４  レイアウト選択部
１０５  アイコン表示部
１０６  画像再生部
１０７  表示画像選択部
１０８  表示制御部
１０９  データ保持部
１１０  印刷データ生成部
１１１  印刷部
１１２  レイアウト生成部
１１３  印刷画像選択部
１１４  領域選択部
１１５  ＧＵＩ制御部
１１６  ＧＵＩ操作部
２０１  操作パネル
２０２  電源ボタン
２０３  ＥＤＩＴボタン
２０４  ＤＩＳＰボタン
２０５  ＣＲＥＡＴＩＶＥボタン
２０６  ＭＥＮＵボタン
２０７  ＬＣＤ
２０８  拡大ボタン
２０９  縮小ボタン
２１０  上ボタン
２１１  左ボタン
２１２  下ボタン
２１３  右ボタン
２１４  ＳＥＴボタン
２１５  ＰＲＩＮＴボタン
３０１  ＬＣＤ
３０２  画像表示領域
３０３  画像戻しガイダンスアイコン
３０４  十字キーガイダンスアイコン
３０５  印刷レイアウト表示領域
３０６  印刷レイアウト内の画像領域
３０７  フォーカス枠
３０８  画像割り当てチェックマーク
３０９  ＤＩＳＰガイダンスアイコン
３１０  チェックマーク表示部
３１１  ＭＥＮＵガイダンスアイコン
３１２  ＳＥＴガイダンスアイコン
３１３  ＥＤＩＴガイダンスアイコン
３１５  画像選択枠
４０１  印刷レイアウトデータのレイアウトＩＤ
４０２  印刷レイアウトデータの画像領域の個数
４０３  印刷レイアウトデータの現在選択中の画像領域のＩＤ
４０４  印刷レイアウトデータの第１の画像領域に割り当てられた画像ＩＤ
４０５  印刷レイアウトデータの第１の画像領域のＸ座標
４０６  印刷レイアウトデータの第１の画像領域のＹ座標
４０７  印刷レイアウトデータの第２の画像領域に割り当てられた画像ＩＤ
４０８  印刷レイアウトデータの第２の画像領域のＸ座標
４０９  印刷レイアウトデータの第２の画像領域のＹ座標
４１０  印刷レイアウトデータの第３の画像領域に割り当てられた画像ＩＤ
４１１  印刷レイアウトデータの第３の画像領域のＸ座標
４１２  印刷レイアウトデータの第３の画像領域のＹ座標
４１３  印刷レイアウトデータの第４の画像領域に割り当てられた画像ＩＤ
４１４  印刷レイアウトデータの第４の画像領域のＸ座標
４１５  印刷レイアウトデータの第４の画像領域のＹ座標
９０１  操作パネル
９０２  電源ボタン
９０３  ＥＤＩＴボタン
９０４  ＤＩＳＰボタン
９０５  ＣＲＥＡＴＩＶＥボタン
９０６  ＭＥＮＵボタン
９０７  表示装置（ＬＣＤ）
９０８  拡大ボタン
９０９  縮小ボタン
９１０  上ボタン
９１１  左ボタン
９１２  下ボタン
９１３  右ボタン
９１４  ＳＥＴボタン
９１５  ＰＲＩＮＴボタン
９１６  ホイール
【図１】
2008052432.tif 000003
【図２】
2008052432.tif 000004
【図３】
2008052432.tif 000005
【図４】
2008052432.tif 000006
【図５】
2008052432.tif 000007
【図６】
2008052432.tif 000008
【図７】
2008052432.tif 000009
【図８】
2008052432.tif 000010
【図９】
2008052432.tif 000011
【図１０】
2008052432.tif 000012